(57)【要約】【課題】製造上の管理が容易で、しかも、操作上の認識性および接続の信頼性の高いＦＰＣ用コネクタを提供すること。【解決手段】複数の端子６０Ａ、６０Ｂに、ハウジング２０の上側壁に沿って延びて先端部が開口部２６の近くに突出する上腕ビーム６２、６８が設けられている。偶数極の端子６０Ａの上腕ビーム６２の下側縁に、加圧部材４０に設けた加圧係合の為のカム部であって断面が略長方形とされたカム部４６が係合しており、奇数極の端子６０Ｂの上腕ビーム６８の上側縁に形成した上方開放切欠部７４に加圧部材４０に設けたピン部４７が遊合している。加圧部材４０のＦＰＣ８０挿入可能の位置と、挿入されたＦＰＣ８０を加圧係合させる位置の間における姿勢変化に伴う、上腕ビーム６２の下側縁と係合した断面略長方形のカム部４６の向きの変化に従って、ピン部４７が上方開放切欠部７４内で移動するようにした。【選択図】　図１
2004022187.tif 000002
【特許請求の範囲】
【請求項１】
内部にＦＰＣ受入空洞２３が設けられたハウジング２０であって、挿入端２５および挿入端側上部にＦＰＣ受入空洞２３と連通する開口部２４、２６が形成されたハウジング２０と、
ハウジング２０に所定のピッチの横並びで装着され、各々のコンタクト片６４、６５、７１、７２が前記ＦＰＣ受入空洞２３に臨んでいる複数の端子６０Ａ、６０Ｂと、
前記ハウジング２０の開口部２６に設けられた加圧部材４０とを備え、
前記加圧部材４０が前記複数の端子６０Ａ、６０Ｂに設けられたビーム６２、６８と係合して、ＦＰＣ受入空洞２３にＦＰＣ８０を挿入可能とする第１の位置と、挿入されたＦＰＣ８０の接点と前記コンタクト片６４、６５、７１、７２のコンタクト部６４ａ、６５ａ、７１ａ、７２ａを所定の接圧で加圧係合させる第２の位置の間で姿勢変化が可能とされているＦＰＣ用コネクタ１０において、
前記複数の端子６０Ａ、６０Ｂに、ハウジング２０の上側壁２１に沿って延びて先端部が前記開口部２６の近くに突出する上腕ビーム６２、６８が設けられていると共に、
複数の端子のうちの偶数極の端子６０Ａの上腕ビーム６２の下側縁に、加圧部材４０に設けた前記加圧係合の為のカム部であって断面が略長方形とされたカム部４６が係合しており、
複数の端子のうちの奇数極の端子６０Ｂの上腕ビーム６８の上側縁に形成した上方開放切欠部７４に加圧部材４０に設けたピン部４７が遊合しており、
加圧部材４０の前記第１の位置と第２の位置の間における姿勢変化に伴う、前記上腕ビーム６２の下側縁と係合した断面略長方形のカム部４６の向きの変化に従って、前記ピン部４７が前記上方開放切欠部７４内で移動するようにしたことを特徴とするＦＰＣ用コネクタ。
【請求項２】
前記奇数極の端子６０Ｂの上腕ビーム６８に形成した上方開放切欠部７４を画成している前縁７４ａは、前記ピン４７の前方移動の限界を構成して、加圧部材４０の脱落を防止している請求項１に記載のＦＰＣ用コネクタ。
【請求項３】
前記偶数極の端子６０Ａの上腕ビーム６２の下側縁は、断面略長方形のカム部４６の角部４６ｃと係合可能な肩部６２ａが形成されて、加圧部材４０の後方移動の限界を構成している請求項１に記載のＦＰＣ用コネクタ。
【請求項４】
断面略長方形のカム部４６の一側面は、肩部６２ａが形成された上腕ビーム６２の下側縁に対応させた面に形成されている請求項３に記載のＦＰＣ用コネクタ。
【請求項５】
複数の端子６０Ａ、６０Ｂは、ＦＰＣ８０の上面に設けられた接点と係合するコンタクト片６５、７２と、下面に設けられた接点と係合するコンタクト片６４、７１を、それぞれ、同一面内に備えている請求項１に記載のＦＰＣ用コネクタ。
【発明の詳細な説明】
【０００１】
【発明の属する技術分野】
この発明は、一般にＦＰＣ、ＦＦＣなどと呼ばれている平形柔軟ケーブル（この明細書でもこれらを代表して単に「ＦＰＣ」という。）を接続する為のＦＰＣ用コネクタに関する。
【０００２】
【従来の技術】
従来、このようなＦＰＣ用コネクタの場合、絶縁性のプラスチックで成形したハウジングと、薄金属板を打ち抜いて形成された端子と、端子のコンタクト片とＦＰＣの接点を所定の接圧（当接圧）で加圧係合させる為の加圧部材とを備えている。この加圧部材も絶縁性のプラスチックで成形される。ハウジングには、内部にＦＰＣ受入空洞が設けられ、これと連通する開口部が挿入端および挿入端側上部に形成されて、ＦＰＣをＦＰＣ受入空洞へ挿入端から挿入できるようにしている。端子は複数とされ、所定のピッチの横並びでハウジングに装着される。各端子にはコンタクト片が設けられ、端子をハウジングに装着するとコンタクト片がＦＰＣ受入空洞に片持梁状となって臨むようにしている。
【０００３】
加圧部材は、ハウジングに形成した開口部に設けられ、ＦＰＣ受入空洞にＦＰＣを挿入可能とする第１の位置と、挿入されたＦＰＣの接点と端子のコンタクト片に形成されたコンタクト部を所定の接圧で加圧係合させる第２の位置の間で姿勢変化が可能にされる。この加圧部材は、カム部や加圧突部が設けられて、加圧部材の姿勢変化によって、カム部や加圧突部が、挿入されているＦＰＣをコンタクト片に向けて押圧付勢するようにしている。
【０００４】
加圧部材の姿勢変化は、通常、加圧部材を回動軸の回りで回動させることによって行われ、この為、加圧部材とハウジングの間や、加圧部材と端子に設けた支持ビームの間で、一方に回動軸を設け、他方に軸受部を設けて互いに係合させている。
【０００５】
図１８−２０は、特開２０００−４８８８６号公報で開示されているＦＰＣ用コネクタである。図において、３００がハウジングであり、３０１が加圧部材である。このＦＰＣ用コネクタでは、図１９に表れているように、加圧部材３０１に回動軸３０２が設けられ、ハウジング３００側に設けられた軸受部（図示されていない）に支持されて、加圧部材３０１が図２０の第１の位置と図１８、１９の第２の位置の間で回動できるよにされている。図２０に表れているように、加圧部材３０１にはカム部３０３が設けられて、端子３０４の支持ビーム３０５と係合させてあり、加圧部材３０１を第２の位置に回動させると、カム部３０３がＦＰＣをコンタクト片３０６側に押圧付勢するようにしている。
【０００６】
また、図２１、２２は、特許第２５８００７４号公報で開示されているＦＰＣ用コネクタである。このＦＰＣ用コネクタのハウジング４００に形成した半円状の軸受部４０１に、加圧部材４０２の回動軸４０３を係合させて、加圧部材４０２が回動軸４０３の回りで回動できるようにされている。この場合更に、端子４０４の支持ビーム４０５に回動支持部４０６が形成されて、加圧部材４０２に凹入形成された断面円弧状の回動溝部４０７と係合させている。加圧部材４０２には加圧突部４０８が設けられ、加圧部材４０２を図２２の第１の位置から矢示４０９の方向に約９０度回動させて第２の位置へと姿勢を変化させると、加圧突部４０８がＦＰＣ４１０を端子４０４のコンタクト片４１１へ向けて押圧付勢するようにしている。
【０００７】
更に、図２３、２４は、特許第２８９２９４５号公報で開示されているＦＰＣ用コネクタである。このＦＰＣ用コネクタも加圧部材５００の両端面に設けた回動軸５０１をハウジング５０２側の軸受部（図示されていない）に係合させて、加圧部材５００が回動できるようにされている。また、図２４に示されているように、加圧部材５００には更に別の回動軸５０３が設けられ、端子５０４の支持ビーム５０５に形成した円弧状の回動支持部５０６と係合させている。加圧部材５００には加圧突部５０７も設けられている。加圧部材５００を図２４の鎖線で示された第１の位置から矢示５０８の方向へ回動させて実線で示された中間位置を経て第２の位置まで回動軸５０１、５０３の回りで回動させると、加圧突部５０７がＦＰＣ５０８を端子５０４のコンタクト片５０９に向けて押圧付勢するようにしている。
【０００８】
【発明が解決しようとする課題】
このように、従来のＦＰＣ用コネクタでは、加圧部材とハウジングおよび／または端子を回動軸と軸受部で係合させて、加圧部材を回動軸の回りで回動させて前記第１の位置と第２の位置の間で姿勢変化をするようにしていた。この為、回動軸と軸受部は隙間の無い嵌合状態で係合させる必要があり、各部品の製造および組立の管理を難しくしていた。回動軸と軸受部の工作精度には限界があり、通常の製造誤差（５／１００ｍｍ程度）はやむを得ないとしても、回動軸と軸受部の嵌合状態が、隙間のあるいわゆるガタガタの状態では、加圧部材によってＦＰＣを端子のコンタクト片へ向けて適正に押圧することが難しく、接続用コネクタとしての性能が十分に得られないものであった。
【０００９】
また、加圧部材を回動によって姿勢変化させてＦＰＣの接続を行う従来のＦＰＣ用コネクタには、接続完了時のクリック感を得ることが難しく、ＦＰＣが正しく接続されたか否かの認識性が乏しいという問題もあった。加えて、正しく接続ができても、ＦＰＣの引き回し等によって加圧部材が接続時と反対の方向へ簡単に回動するので、接続の信頼性が損なわれるという問題点もあった。このクリック感や加圧部材の意に反する回動の防止の為に、加圧部材に設けられる前記カム部や加圧突部が、加圧部材の第２の位置では、ＦＰＣを押圧する力の最大の位置を越えた位置まで回動するように構成することが行われているが、十分なクリック感は得られていなかったし、確実な回動防止はできていなかった。
【００１０】
この発明は以上のような問題点に鑑みてなされたもので、製造上の管理が容易で、しかも、操作上の認識性および接続の信頼性の高いＦＰＣ用コネクタを提供することを目的としている。
【００１１】
【課題を解決するための手段】
前記の目的のもとになされたこの発明は、内部にＦＰＣ受入空洞が設けられたハウジングであって、挿入端および挿入端側上部にＦＰＣ受入空洞と連通する開口部が形成されたハウジングと、
ハウジングに所定のピッチの横並びで装着され、各々のコンタクト片が前記ＦＰＣ受入空洞に臨んでいる複数の端子と、
前記ハウジングの開口部に設けられた加圧部材とを備え、
前記加圧部材が前記複数の端子に設けられたビームと係合して、ＦＰＣ受入空洞にＦＰＣを挿入可能とする第１の位置と、挿入されたＦＰＣの接点と前記コンタクト片のコンタクト部を所定の接圧で加圧係合させる第２の位置の間で姿勢変化が可能とされているＦＰＣ用コネクタにおいて、
前記複数の端子に、ハウジングの上側壁に沿って延びて先端部が前記開口部の近くに突出する上腕ビームが設けられていると共に、
複数の端子のうちの偶数極の端子の上腕ビームの下側縁に、加圧部材に設けた前記加圧係合の為のカム部であって断面が略長方形とされたカム部が係合しており、
複数の端子のうちの奇数極の端子の上腕ビームの上側縁に形成した上方開放切欠部に加圧部材に設けたピン部が遊合しており、
加圧部材の前記第１の位置と第２の位置の間における姿勢変化に伴う、前記上腕ビームの下側縁と係合した断面略長方形のカム部の向きの変化に従って、前記ピン部が前記上方開放切欠部内で移動するようにしたことを特徴とするＦＰＣ用コネクタである。
【００１２】
【作用】
このように構成されたこの発明のＦＰＣ用コネクタは、加圧部材とハウジングや端子の間に、回転軸と軸受部を設けない構成であるので、この点での製造管理の困難性を解消することができる。
ＦＰＣの接続に際し、加圧部材を第１の位置から第２の位置に姿勢変化させる時、加圧部材に設けた断面を略長方形としたカム部は、その長辺側の面が偶数極の端子の上腕ビームの下側縁に係合した状態から、この長辺側の面に角部を挟んで隣り合う短辺側の面が係合する状態へと転がるように変位して、長辺および短辺の向きを変化させ、ＦＰＣの接点と端子のコンタクト部の間に必要な接圧が得られるようにする。端子の上腕ビームの下側縁と係合するカム部が、このように一つの面から角部を挟んで隣り合う面へと係合する面を変化させることで、係合面が変化する際に操作者にクリック感を与え、また、加圧部材の意に反する姿勢変化を防止する。上記のようにカム部の向きが変化する時、加圧部材に設けたピン部は、奇数極の端子の上腕ビームの上方開放切欠部の中で、その位置を移動させるが、上腕ビームの先端方向である前方への移動は、上方開放切欠部を画成している前縁で制限される。即ち、上方開放切欠部の前縁がピン部の前方移動の限界を構成して、加圧部材が脱落するのを防止する。
【００１３】
【発明の実施の形態】
以下、この発明の実施形態を添付の図を参照して説明する。
【００１４】
図１は、図２および図３〜図５に示したような外観をした実施形態のＦＰＣ用コネクタ１０の断面図を表している。このＦＰＣ用コネクタ１０は、絶縁性のプラスチックを成形したハウジング２０および加圧部材４０と、薄金属板を打ち抜いた２種類の端子６０Ａ、６０Ｂとを備えている。図１は、２種類の端子６０Ａ、６０Ｂのそれぞれに沿って示した断面図であり、ＦＰＣ８０が接続された状態で示されている。
【００１５】
ハウジング２０は、図１に表れているように、上側壁２１と下側壁２２を有し、これらの間にＦＰＣ受入空洞２３を画成している。ＦＰＣ受入空洞２３は、図１において左側である前端に形成された開口部２４と連通し、この前端を挿入端２５としてＦＰＣ８０をＦＰＣ受入空洞２３に挿入できるようにしている。また、この挿入端２５側の上部にもＦＰＣ受入空洞２３に連通する開口部２６が形成されるように、前記上側壁２１は下側壁２２に比べて短くされている。この開口部２６は、加圧部材４０と端子６０Ａ、６０Ｂとを係合させる目的で形成されている。
【００１６】
ハウジング２０に２種類の端子６０Ａ、６０Ｂがハウジング２０の長手方向（図３の左右方向）に所定のピッチの横並びで交互に装着されている。図示した実施形態では、端子６０Ａが、図３で左側から数えて偶数番目の極（偶数極）となり、端子６０Ｂが奇数番目の極（奇数極）となるようにしている。
【００１７】
図１を参照して各端子６０Ａ、６０Ｂの形状を説明すると、偶数極の端子６０Ａは、ハウジング２０の後端２７側から装着できるように形成され、ハウジング２０の上側壁２１と下側壁２２の間に配置される基板部６１の上部に、上側壁２１の下側に沿って延びる上腕ビーム６２が設けられている。この上腕ビーム６２は、上側壁２１の前縁を越えて前記開口部２６の近くまで突出する長さを有している。そして、上腕ビーム６２の基部下縁からクランク形状のスプリングビーム６３が垂下し、このスプリングビーム６３から長いコンタクト片６４と短いコンタクト片６５で二股状としたコンタクトが延び、端子６０Ａをハウジング２０に装着した時、各コンタクト片６４、６５が前記ＦＰＣ受入空洞２３に臨むようにしてある。基板部６１の後縁下部からは半田テイル６６が斜め下方に延びている。
【００１８】
奇数極の端子６０Ｂは、ハウジング２０の挿入端２５側から装着できるように形成されている。ハウジング２０の下側壁２２に沿って延びる下腕ビーム６７と、ハウジング２０の上側壁２１に沿って延びる上腕ビーム６８が連結ビーム６９で連結されて略横Ｕ字状に形成されている。下腕ビーム６７がハウジング２０の前後方向の幅に比べて長いのに対して、上腕ビーム６８は先端部が上側壁２１の前縁を越えて開口部２６の近くに突出する長さとされている。上腕ビーム６８の基部下縁から、偶数極の端子６０Ａと同様に、スプリングビーム７０が垂下し、そして、スプリングビーム７０から長いコンタクト片７１と短いコンタクト片７２を備えたコンタクトが延びている。このコンタクトもハウジング２０のＦＰＣ受入空洞２３に臨むようにしてある。前記下腕ビーム６７の前端下縁には半田テイル７３が設けられている。
【００１９】
偶数極の端子６０Ａのコンタクトと、奇数極の端子６０Ｂのコンタクトは、互いに同じレベルで交互に並んでＦＰＣ受入空洞２３に臨むようになっている。長いコンタクト片６４、７１の先端上縁にはコンタクト部６４ａ、７１ａがそれぞれ突出形成してあり、ＦＰＣ８０の下面に設けられる接点（図示せず）と対向できるようにしてある。また、短いコンタクト片６５、７２の先端下縁にも、コンタクト部６５ａ、７２ａが突出形成してあり、ＦＰＣ８０の上面に設けられる接点（図示せず）と対向できるようにしてある。長いコンタクト片６４、７１に形成したコンタクト部６４ａ、７１ａは、ＦＰＣ受入空洞２３内で千鳥状に配置されるようにしてある。短いコンタクト片６５、７２に形成したコンタクト部６５ａ、７２ａも同様で、千鳥状に配置されるようにしてある。
【００２０】
加圧部材４０は、ハウジング２０の上側壁２１を略覆う大きさの方形板状の本体部４１の前縁から係合部４２が下方に向って弧状に連続していると共に、本体部４１の両側に側板部４３が垂下している。本体部４１、係合部４２、側板部４３は一体となっている。係合部４２がハウジング２０の上側壁２１の前方に形成した開口部２６を通してＦＰＣ受入空洞２３の中に突入して、端子６０Ａ、６０Ｂの各上腕ビーム６２、６８と係合させてある。この係合の為に、偶数極の端子６０Ａの上腕ビーム６２に対応させて窓孔４４が貫通して形成され、窓孔４４を通して上腕ビーム６２が前方に延びるようにしてある。また、奇数極の端子６０Ｂの上腕ビーム６８に対応させて収容溝４５が形成され、収容溝４５の中に上腕ビーム６８が延びるようにしてある。
【００２１】
偶数極の端子６０Ａと加圧部材４０の係合は、端子６０Ａの上腕ビーム６２の下側縁と、加圧部材４０の係合部４２に形成した窓孔４４の下側に隣接させて設けた断面を略長方形としたカム部４６で形成されている。即ち、カム部４６の短辺の面４６ａや長辺の面４６ｂ或は角部４６ｃが上腕ビーム６２の先端部下側縁に係合するようにしている。奇数極の端子６０Ｂと加圧部材４０の係合は、端子６０Ｂの上腕ビーム６８の先端部に形成した上方開放切欠部７４と、加圧部材４０の係合部４２に形成した収容溝４５に横設したピン部４７で形成されている。ピン部４７を上方開放切欠部７４の中に収容して係合させてある。上方開放切欠部７４の前後方向の幅はピン部４７の径に比べて大きくされて、ピン部４７と上方開放切欠部７４は遊合状態で係合しており、ピン部４７は上方開放切欠部７４の中で、前後方向および上下方向で移動が可能となっている。加圧部材４０の操作によってカム部４６の短辺の面４６ａおよび長辺の面４６ｂの方向が変化する時、ピン部４７の位置が前後および上下の方向で移動するのに対応させたものである。
【００２２】
更に、加圧部材４０のカム部４６と係合している偶数極の端子６０Ａの上腕ビーム６２の下側縁には肩部６２ａが形成されており、カム部４６の長辺の面４６ｂは、肩部６２ａを有する下側縁の形状に対応させて、段部４８が形成されている。また、奇数極の端子６０Ｂの上腕ビーム６８に形成した上方開放切欠部７４は、ピン部４７の前記した如くの移動に対応するように、前縁７４ａ、円弧下縁７４ｂ、傾斜下縁７４ｃ、後縁７４ｄで画成され（図１１参照）、ピン部４７が各縁に沿ってまたは各縁から離れて移動するようにしてある。
【００２３】
加圧部材４０の係合部４２と端子６０Ａ、６０Ｂの上腕ビーム６２、６８をこのように係合させることで、加圧部材４０は、図６に示した位置、即ち、挿入端２５の開口部２４を通してＦＰＣ８０をＦＰＣ受入空洞２３に挿入可能とする第１の位置と、図１に示した位置、即ち、ＦＰＣ受入空洞２３に挿入されたＦＰＣ８０の接点と端子６０Ａ、６０Ｂのコンタクト片６４、６５、７１、７２に設けられたコンタクト部６４ａ、６５ａ、７１ａ、７２ａを所定の接圧で加圧係合させる第２の位置の間で姿勢変化することが可能となっている。以下、この加圧部材４０の姿勢変化に伴うカム部４６、ピン部４７の動作と加圧係合の様子について図１、６と、姿勢変化の途中を表している図７〜１０を参照して説明する。
【００２４】
加圧部材４０の姿勢を図６の第１の位置にすると、カム部４６はその長辺の面４６ｂが偶数極の端子６０Ａの上腕ビーム６２の下縁に係合するように変位して、コンタクト片６４、６５の間を開放する。奇数極の端子６０Ｂの上腕ビーム６８に形成した上方開放切欠部７４に遊合させた加圧部材４０のピン部４７は、この時、傾斜下縁７４ｃと係合する位置を取るようになっている。
【００２５】
加圧部材４０の姿勢をこのように第１の位置にすると、ＦＰＣ受入空洞２３へＦＰＣ８０を挿入抵抗の無いゼロ挿入力で挿入することができる。ＦＰＣ８０をＦＰＣ受入空洞２３に臨んでいる端子６０Ａのコンタクト片６４、６５の間および端子６０Ｂのコンタクト片７１、７２の間に挿入し、上下面の接点とコンタクト部６４ａ、６５ａ、７１ａ、７２ａを１対１の関係で対向させることができる。各端子６０Ａ、６０Ｂの短いコンタクト片６５、７２のコンタクト部６５ａ、７２ａと接点の対向部は、ＦＰＣ受入空洞２３で各端子６０Ａ、６０Ｂの間に設けられている隔壁２８の上縁でバックアップされる。
【００２６】
ＦＰＣ８０を挿入した後、加圧部材４０を図１の第２の位置まで姿勢変化させると、その間において、図７、８、９、１０のような姿勢に順次変化して最後に図１の第２の位置の姿勢に変化する。これに伴って、加圧部材４０のカム部４６も各図に表れているように、その短辺の面４６ａと長辺の面４６ｂの向きを順次変化させていく。そして、加圧部材４０のピン部４７も上方開放切欠部７４内で図のように移動していく。
【００２７】
カム部４６のこのような向きの変化は、図７〜図１０に表れているように端子６０Ａの上腕ビーム６２の下縁に角部４６ｃを係合させて、この係合部を起点として進行する。したがって、ピン部４７はその位置を移動させることになる。即ち、図７に表れているように、ピン部４７は上方開放切欠部７４の傾斜下縁７４ｃを下るように前方へ移動して円弧下縁７４ｂと係合するように変位する。ピン部４７が円弧下縁７４ｂと係合する位置まで移動すると、ピン部４７は前縁７４ａとも係合することとなり、それ以上前方への移動は停止される。前縁７４ａがピン部４７の前方への移動の限界を構成する。また、この前縁７４ａとピン部４７の係合によって、加圧部材４０が姿勢変化の際に端子６０Ａ、６０Ｂとの係合が外れて脱落するのを防止する。
【００２８】
ピン部４７が上方開放切欠部７４の前縁７４ａと係合して前方への移動が停止した後は、カム部４６の角部４６ｃと上腕ビーム６２の下側縁の係合部を後方に移動させながらカム部４６の向きの変化が進行する（図８〜１０）。上腕ビーム６２の下側縁に形成した肩部６２ａは、この係合部の後方移動の限界を構成し、また、加圧部材４０の姿勢変化の際の後方移動の限界も構成している。もっとも、ピン部４７が上方開放切欠部７４の前縁７４ａと係合して前方への移動が制限されているので、肩部６２ａの位置は、カム部４６の角部４６ｃと上腕ビーム６２の下側縁との係合部の移動範囲を確保できる位置とされていることは言うまでもない。
【００２９】
このようなカム部４６がその短辺と長辺の向きを変化させ、また、ピン部４７が上方開放切欠部７４内で移動する過程で、加圧部材４０の係合部４２の端面は、ハウジング２０のＦＰＣ受入空洞２３内において、ＦＰＣ８０の上面と当接して、加圧面４９として働く。カム部４６と端子６０Ａの上腕ビーム６２の下側縁とが係合しているので、加圧面４９はＦＰＣ８０を端子６０Ａ、６０Ｂの長いコンタクト片６４、７１へと押圧付勢して、各コンタクト片６４、７１を下方に弾性変形させて、コンタクト部６４ａ、７１ａとＦＰＣ８０の接点を適度の接圧で加圧係合させる。長いコンタクト片６４、７１が下方に弾性変形を受けると、それぞれ一体の短いコンタクト片６５、７２も下方へ追従させるので、隔壁２８でバックアップされているＦＰＣ８０の接点とコンタクト部６５ａ、７２ａも適度の接圧で加圧係合させることができる。
【００３０】
加圧部材４０の加圧面４９がＦＰＣ８０を介して長いコンタクト片６４、７１を弾性変形させ、また、短いコンタクト片６５、７２も間接的に弾性変形させると、その反力が加圧部材４０に作用することになる。この反力は、カム部４６が図９のように、角部４６ｃとこれに対向する角部を結ぶ対角線が垂直方向に向いた時に最大となる。この最大の反力はカム部４６のもう一対の角部に表れるモーメントｆ１、ｆ２（図１２）も最大とする。したがって、加圧部材４０が図９の段階まで姿勢変化した後は、一気に図１の第２の位置まで姿勢変化し、しかも、第２の位置まで姿勢変化をすると、カム部４６の短辺の面４６ａが上腕ビーム６２の下側縁に係合して、それ以上の姿勢変化を急激に停止させるので、加圧部材４０を操作する操作者には、確かなクリック感を与えてＦＰＣ８０の接続の完成を認識させることができる。
【００３１】
加圧部材４０が第２の位置まで姿勢を変化させ、カム部４６の短辺の面４６ａが上腕ビーム６２の下側縁と係合する時には、ピン部４７は上方開放切欠部７４内で、前縁７４ａに沿って上方へ僅かに移動し、円弧下縁７４ｂからは離れるようになる（図１）。
【００３２】
このようにしてＦＰＣ８０が接続された後は、カム部４６の短辺の面４６ａと上腕ビーム６２の下側縁が係合している状態から、角部４６ｃが上腕ビーム６２の下側縁と係合する状態へ変化させるには、端子６０Ａ、６０Ｂ側からの反力が作用している条件で、比較的大きな力を必要とする。したがって、ＦＰＣ８０の引き回し等によって加圧部材４０が意に反して第１の位置に向って姿勢変化するのを確実に防止することができる。接続状態がこのように確実に維持されるので、接続の信頼性を向上することができる。接続を解除する場合は、加圧部材４０に端子６０Ａ、６０Ｂからの反力に打ち勝つ力を与えて、第１の位置へ向かって姿勢変化させることになる。この時、カム部４６とピン部４７は前記と逆の経過をたどって、向きを変化させ、また、移動をする。
【００３３】
図１３は、他の実施形態のカム部４６の断面を表している。このように、カム部４６の上腕ビーム６２の下側縁と係合することになる長辺の面４６ｂは、平坦面５０とテーパー面５１で構成して、肩部６２ａを形成した上腕ビーム６２の下側縁の形状に対応させることもできる。
【００３４】
尚、先の実施形態において、ハウジング２０の両側には金属製のネイル１００が装着してある。このネイル１００は、図１４、１５に示すように、ハウジング２０と係合する装着片１０１と、ハウジング２０の外側に延びる係合片１０２が連結底片１０３で連続している。前記加圧部材４０の側板部４３は、ハウジング２０とこのネイル１００の係合片１０２の間隙に挟まれるように配置されている。
【００３５】
ネイル１００の係合片１０２には、突条１０４が内側に突出するようにして長手方向で設けてある。一方、加圧部材４０の側板部４３の外面には、図１６に示したように、突条１０４を収容できる凹入溝５２と、突条１０４と係合する段部５３が設けてある。加圧部材４０を第２の位置にすると、突条１０４と段部５３が係合して、ここでも加圧部材４０の第１の位置に向かう意に反する姿勢変化が起こらないようにしている。
【００３６】
図１７には更に別の実施形態のＦＰＣ用コネクタ２００が示されている。この実施形態のＦＰＣ用コネクタ２００は、偶数極の端子２６０Ａおよび奇数極の端子２６０Ｂの形状が先の実施形態と異なっており、他の部分は先の実施形態と同様に構成されている。したがって、先の実施形態と同一の部材には同一の符号を付して詳細な説明は省略する。
【００３７】
先の実施形態の端子６０Ａ、６０Ｂは、長いコンタクト片６４、７１のコンタクト部６４ａ、７１ａおよび短いコンタクト片６５、７２のコンタクト部６５ａ、７２ａがＦＰＣ受入空洞２３において千鳥状に配置される構成であった。これに対して、図１７に示した実施形態では、コンタクト部が千鳥配置ではなく一直線に並ぶようにしている。即ち、偶数極の端子２６０Ａのコンタクトを構成している長いコンタクト片２６４の先端上縁に形成したコンタクト部２６４ａと奇数極の端子２６０Ｂのコンタクトを構成している長いコンタクト片２７１の先端上縁に形成したコンタクト部２７１ａがＦＰＣ受入空洞２３内で、図の紙面に垂直の方向で一直線に並ぶように構成されている。短いコンタクト片２６５、２７２も同様で、偶数極の端子２６０Ａの短いコンタクト片２６５の先端下縁に形成したコンタクト部２６５ａと、奇数極の端子２６０Ｂの短いコンタクト片２７２の先端下縁に形成したコンタクト部２７２ａが、ＦＰＣ受入空洞２３内で、図の紙面に垂直の方向で一直線に並ぶように構成されている。
【００３８】
先の実施形態のＦＰＣ用コネクタ１０に接続するＦＰＣ８０では、その接点を上面および下面でそれぞれ千鳥配置の形態とするのに対し、この図１７の実施形態のＦＰＣ用コネクタ２００に接続するＦＰＣでは、その接点を上面および下面でそれぞれ一直線に配置することになる。
【００３９】
また、奇数極の端子２６０Ｂは、ハウジング２０の後端２７側から装着できるように形成されている。したがって、下腕ビームを有することなく、基板部２６９の上部前縁から上腕ビーム２６８が延び、また、半田テイル２７３は基板部２６９の後縁下部から斜め下方に延びている。偶数極の端子２６０Ａの半田テイル２６６と奇数極の端子２６０Ｂの半田テイル２７３も一直線に並列するようにしている。
【００４０】
各端子２６０Ａ、２６０Ｂの上腕ビーム２６２、２６８と加圧部材４０の係合構造は先の実施形態と同一である。したがって、加圧部材４０の姿勢変化におけるカム部４５およびピン部４７の動作は前記と同様であり、この実施形態においても接続の完了を確かなクリック間で認識させることができ、また、接続状態の意に反する解除を回避して信頼性を向上することができる。
【００４１】
【発明の効果】
以上に説明の通り、この発明のＦＰＣ用コネクタでは、加圧部材の断面を略長方形としたカム部と上腕ビームの下側縁を係合させ、また、ピン部を上腕ビームの上方開放切欠部に遊合させて前後および上下の方向で移動可能に構成して加圧部材の第１の位置と第２の位置の間の姿勢変化を可能とし、一定の位置に配置される回動軸と軸受部を備えていない構成としたので、製造上の管理を容易にし、しかも、確かなクリック感を与えて操作上の認識性を向上し、また、加圧部材の意に反する姿勢変化を困難にして接続の信頼性を向上できるなどの優れた効果がある。
【図面の簡単な説明】
【図１】加圧部材が第２の位置にある時のこの発明の実施形態の断面図で、（ａ）は偶数極の端子に沿って示した断面図、（ｂ）は奇数極の端子に沿って示した断面図である。
【図２】この発明の実施形態の斜視図である。
【図３】この発明の実施形態の平面図である。
【図４】この発明の実施形態の正面図である。
【図５】この発明の実施形態の側面図である。
【図６】加圧部材が第１の位置にある時のこの発明の実施形態の断面図で、（ａ）は偶数極の端子に沿って示した断面図、（ｂ）は奇数極の端子に沿って示した断面図である。
【図７】加圧部材が第１の位置から第２の位置へ姿勢変化する時の中間段階の断面図で、（ａ）は偶数極の端子に沿って示した断面図、（ｂ）は奇数極の端子に沿って示した断面図である。
【図８】図７から更に進んだ中間段階の断面図で、（ａ）は偶数極の端子に沿って示した断面図、（ｂ）は奇数極の端子に沿って示した断面図である。
【図９】図８から更に進んだ中間段階の断面図で、（ａ）は偶数極の端子に沿って示した断面図、（ｂ）は奇数極の端子に沿って示した断面図である。
【図１０】図９から更に進んだ中間段階の断面図で、（ａ）は偶数極の端子に沿って示した断面図、（ｂ）は奇数極の端子に沿って示した断面図である。
【図１１】奇数極の端子の上腕ビームに形成した上方開放切欠部の拡大図である。
【図１２】カム部に働くモーメントを説明する図である。
【図１３】この発明の他の実施形態のカム部の断面図である。
【図１４】この発明の実施形態のネイルの正面図である。
【図１５】同じくネイルの底面図である。
【図１６】この発明の実施形態の加圧部材の側面図である。
【図１７】この発明の別の実施形態の断面図で、（ａ）は偶数極の端子に沿って示した断面図、（ｂ）は奇数極の端子に沿って示した断面図である。
【図１８】従来のＦＰＣ用コネクタの上方斜視図である。
【図１９】従来のＦＰＣ用コネクタの下方斜視図である。
【図２０】従来のＦＰＣ用コネクタの断面図である。
【図２１】従来の別のＦＰＣ用コネクタの分解斜視図である。
【図２２】従来の別のＦＰＣ用コネクタの断面図である。
【図２３】従来の更に別のＦＰＣ用コネクタの分解斜視図である。
【図２４】従来の更に別のＦＰＣ用コネクタの断面図である。
【符号の説明】
１０、２００　ＦＰＣ用コネクタ
２０　　　　　ハウジング
２１　　　　　上側壁
２３　　　　　ＦＰＣ受入空洞
２４、２６　　開口部
４０　　　　　加圧部材
４２　　　　　係合部
４６　　　　　カム部
４６ａ　　　　カム部の短辺の面
４６ｂ　　　　カム部の長辺の面
４６ｃ　　　　カム部の角部
４７　　　　　ピン部
４９　　　　　加圧面
６０Ａ、２６０Ａ　　偶数極の端子
６０Ｂ、２６０Ｂ　　奇数極の端子
６２、２６２　　　　上腕ビーム
６４、２６４　　　　コンタクト片
６４ａ、２６４ａ　　コンタクト部
６５、２６５　　　　コンタクト片
６５ａ、２６５ａ　　コンタクト部
６８、２６８　　　　上腕ビーム
７１、２７１　　　　コンタクト片
７１ａ、２７１ａ　　コンタクト部
７２、２７２　　　　コンタクト片
７２ａ、２７２ａ　　コンタクト部
７４　　　　　上方開放切欠部
７４ａ　　　　前縁
７４ｂ　　　　円弧下縁
７４ｃ　　　　傾斜下縁
７４ｄ　　　　後縁
８０　　　　　ＦＰＣ
【図１】
2004022187.tif 000003
【図２】
2004022187.tif 000004
【図３】
2004022187.tif 000005
【図４】
2004022187.tif 000006
【図５】
2004022187.tif 000007
【図６】
2004022187.tif 000008
【図７】
2004022187.tif 000009
【図８】
2004022187.tif 000010
【図９】
2004022187.tif 000011
【図１０】
2004022187.tif 000012
【図１１】
2004022187.tif 000013
【図１２】
2004022187.tif 000014
【図１３】
2004022187.tif 000015
【図１４】
2004022187.tif 000016
【図１５】
2004022187.tif 000017
【図１６】
2004022187.tif 000018
【図１７】
2004022187.tif 000019
【図１８】
2004022187.tif 000020
【図１９】
2004022187.tif 000021
【図２０】
2004022187.tif 000022
【図２１】
2004022187.tif 000023
【図２２】
2004022187.tif 000024
【図２３】
2004022187.tif 000025
【図２４】
2004022187.tif 000026
【手続補正書】
【提出日】平成14年10月11日(2002.10.11)
【手続補正１】
【補正対象書類名】明細書
【補正対象項目名】全文
【補正方法】変更
【補正の内容】
【発明の詳細な説明】
【特許請求の範囲】
【請求項１】内部にＦＰＣ受入空洞２３が設けられたハウジング２０であって、挿入端２５上部にＦＰＣ受入空洞２３と連通する開口部２４、２６が形成されたハウジング２０と、
ハウジング２０に所定のピッチの横並びで装着され、各々のコンタクト片６４、６５、７１、７２が前記ＦＰＣ受入空洞２３に臨んでいる複数の端子６０Ａ、６０Ｂと、
前記ハウジング２０の開口部２６に設けられた加圧部材４０とを備え、
前記加圧部材４０がＦＰＣ受入空洞２３にＦＰＣ８０を挿入可能とする第１の位置と、挿入されたＦＰＣ８０の接点と前記コンタクト片６４、６５、７１、７２のコンタクト部６４ａ、６５ａ、７１ａ、７２ａを所定の接圧で加圧係合させる第２の位置の間で姿勢変化が可能とされているＦＰＣ用コネクタ１０において、
前記複数の端子６０Ａ、６０Ｂに、ハウジング２０の上側壁２１に沿って延びて先端部が前記開口部２６の近くに突出する上腕６２、６８が設けられていると共に、
上記複数の端子のうちの一部であってその上腕６２の下側縁に、加圧部材４０に設けた前記加圧係合の為のカム部であって断面が略長方形とされたカム部４６が係合している第１の端子６０Ａと、
同じく複数の端子のうちの一部であってその上腕６８の上側縁に形成した上方開放切欠部７４に加圧部材４０に設けたピン部４７が遊合している第２の端子６０Ｂとが組み合わされて配置され、
加圧部材４０の前記第１の位置と第２の位置の間における姿勢変化に伴う、前記上腕６２の下側縁と係合した断面略長方形のカム部４６の向きの変化に従って、前記ピン部４７が前記上方開放切欠部７４内で移動するようにしたことを特徴とするＦＰＣ用コネクタ。
【請求項２】前記第２の端子６０Ｂの上腕６８に形成した上方開放切欠部７４を画成している前縁７４ａは、前記ピン４７の前方移動の限界を構成して、加圧部材４０の脱落を防止している請求項１に記載のＦＰＣ用コネクタ。
【請求項３】前記第１の端子６０Ａの上腕６２の下側縁は、断面略長方形のカム部４６の角部４６ｃと係合可能な肩部６２ａが形成されて、加圧部材４０の後方移動の限界を構成している請求項１に記載のＦＰＣ用コネクタ。
【請求項４】断面略長方形のカム部４６の一側面は、肩部６２ａが形成された上腕ビーム６２の下側縁に対応させた面に形成されている請求項３に記載のＦＰＣ用コネクタ。
【請求項５】前記第１および第２の端子６０Ａ、６０Ｂは、ＦＰＣ８０の上面に設けられた接点と係合するコンタクト片６５、７２と、下面に設けられた接点と係合するコンタクト片６４、７１を、それぞれ、同一面内に備え、且つ偶数極および奇数極としてそれぞれ交互に隣接して配置されている請求項１に記載のＦＰＣ用コネクタ。
【発明の詳細な説明】
【０００１】
【発明の属する技術分野】
この発明は、一般にＦＰＣ、ＦＦＣなどと呼ばれている平形柔軟ケーブル（この明細書でもこれらを代表して単に「ＦＰＣ」という。）を接続する為のＦＰＣ用コネクタに関する。
【０００２】
【従来の技術】
従来、このようなＦＰＣ用コネクタの場合、絶縁性のプラスチックで成形したハウジングと、薄金属板を打ち抜いて形成された端子と、端子のコンタクト片とＦＰＣの接点を所定の接圧（当接圧）で加圧係合させる為の加圧部材とを備えている。この加圧部材も絶縁性のプラスチックで成形される。ハウジングには、内部にＦＰＣ受入空洞が設けられ、これと連通する開口部が挿入端および挿入端側上部に形成されて、ＦＰＣをＦＰＣ受入空洞へ挿入端から挿入できるようにしている。端子は複数とされ、所定のピッチの横並びでハウジングに装着される。各端子にはコンタクト片が設けられ、端子をハウジングに装着するとコンタクト片がＦＰＣ受入空洞に片持梁状となって臨むようにしている。
【０００３】
加圧部材は、ハウジングに形成した開口部に設けられ、ＦＰＣ受入空洞にＦＰＣを挿入可能とする第１の位置と、挿入されたＦＰＣの接点と端子のコンタクト片に形成されたコンタクト部を所定の接圧で加圧係合させる第２の位置の間で姿勢変化が可能にされる。この加圧部材は、カム部や加圧突部が設けられて、加圧部材の姿勢変化によって、カム部や加圧突部が、挿入されているＦＰＣをコンタクト片に向けて押圧付勢するようにしている。
【０００４】
加圧部材の姿勢変化は、通常、加圧部材を回動軸の回りで回動させることによって行われ、この為、加圧部材とハウジングの間や、加圧部材と端子に設けた支持ビームの間で、一方に回動軸を設け、他方に軸受部を設けて互いに係合させている。
【０００５】
図１８−２０は、特開２０００−４８８８６号公報で開示されているＦＰＣ用コネクタである。図において、３００がハウジングであり、３０１が加圧部材である。このＦＰＣ用コネクタでは、図１９に表れているように、加圧部材３０１に回動軸３０２が設けられ、ハウジング３００側に設けられた軸受部（図示されていない）に支持されて、加圧部材３０１が図２０の第１の位置と図１８、１９の第２の位置の間で回動できるよにされている。図２０に表れているように、加圧部材３０１にはカム部３０３が設けられて、端子３０４の支持ビーム３０５と係合させてあり、加圧部材３０１を第２の位置に回動させると、カム部３０３がＦＰＣをコンタクト片３０６側に押圧付勢するようにしている。
【０００６】
また、図２１、２２は、実用新案登録第２５８００７４号公報で開示されているＦＰＣ用コネクタである。このＦＰＣ用コネクタのハウジング４００に形成した半円状の軸受部４０１に、加圧部材４０２の回動軸４０３を係合させて、加圧部材４０２が回動軸４０３の回りで回動できるようにされている。この場合更に、端子４０４の支持ビーム４０５に回動支持部４０６が形成されて、加圧部材４０２に凹入形成された断面円弧状の回動溝部４０７と係合させている。加圧部材４０２には加圧突部４０８が設けられ、加圧部材４０２を図２２の第１の位置から矢示４０９の方向に約９０度回動させて第２の位置へと姿勢を変化させると、加圧突部４０８がＦＰＣ４１０を端子４０４のコンタクト片４１１へ向けて押圧付勢するようにしている。
【０００７】
更に、図２３、２４は、特許第２８９２９４５号公報で開示されているＦＰＣ用コネクタである。このＦＰＣ用コネクタも加圧部材５００の両端面に設けた回動軸５０１をハウジング５０２側の軸受部（図示されていない）に係合させて、加圧部材５００が回動できるようにされている。また、図２４に示されているように、加圧部材５００には更に別の回動軸５０３が設けられ、端子５０４の支持ビーム５０５に形成した円弧状の回動支持部５０６と係合させている。加圧部材５００には加圧突部５０７も設けられている。加圧部材５００を図２４の鎖線で示された第１の位置から矢示の方向へ回動させて実線で示された中間位置を経て第２の位置まで回動軸５０１、５０３の回りで回動させると、加圧突部５０７がＦＰＣ５０８を端子５０４のコンタクト片５０９に向けて押圧付勢するようにしている。
【０００８】
【発明が解決しようとする課題】
このように、従来のＦＰＣ用コネクタでは、加圧部材とハウジングおよび／または端子を回動軸と軸受部で係合させて、加圧部材を回動軸の回りで回動させて前記第１の位置と第２の位置の間で姿勢変化をするようにしていた。この為、回動軸と軸受部は隙間の無い嵌合状態で係合させる必要があり、各部品の製造および組立の管理を難しくしていた。回動軸と軸受部の工作精度には限界があり、通常の製造誤差（５／１００ｍｍ程度）はやむを得ないとしても、回動軸と軸受部の嵌合状態が、隙間のあるいわゆるガタガタの状態では、加圧部材によってＦＰＣを端子のコンタクト片へ向けて適正に押圧することが難しく、接続用コネクタとしての性能が十分に得られないものであった。
【０００９】
また、加圧部材を回動によって姿勢変化させてＦＰＣの接続を行う従来のＦＰＣ用コネクタには、接続完了時のクリック感を得ることが難しく、ＦＰＣが正しく接続されたか否かの認識性が乏しいという問題もあった。加えて、正しく接続ができても、ＦＰＣの引き回し等によって加圧部材が接続時と反対の方向へ簡単に回動するので、接続の信頼性が損なわれるという問題点もあった。このクリック感や加圧部材の意に反する回動の防止の為に、加圧部材に設けられる前記カム部や加圧突部が、加圧部材の第２の位置では、ＦＰＣを押圧する力の最大の位置を越えた位置まで回動するように構成することが行われているが、十分なクリック感は得られていなかったし、確実な回動防止はできていなかった。
【００１０】
この発明は以上のような問題点に鑑みてなされたもので、製造上の管理が容易で、しかも、操作上の認識性および接続の信頼性の高いＦＰＣ用コネクタを提供することを目的としている。
【００１１】
【課題を解決するための手段】
前記の目的のもとになされたこの発明は、内部にＦＰＣ受入空洞が設けられたハウジングであって、挿入端上部にＦＰＣ受入空洞と連通する開口部が形成されたハウジングと、
ハウジングに所定のピッチの横並びで装着され、各々のコンタクト片が前記ＦＰＣ受入空洞に臨んでいる複数の端子と、
前記ハウジングの開口部に設けられた加圧部材とを備え、
前記加圧部材が、ＦＰＣ受入空洞にＦＰＣを挿入可能とする第１の位置と、挿入されたＦＰＣの接点と前記コンタクト片のコンタクト部を所定の接圧で加圧係合させる第２の位置の間で姿勢変化が可能とされているＦＰＣ用コネクタにおいて、
前記複数の端子に、ハウジングの上側壁に沿って延びて先端部が前記開口部の近くに突出する上腕が設けられていると共に、
上記複数の端子のうちの一部であってその上腕の下側縁に、加圧部材に設けた前記加圧係合の為のカム部であって断面が略長方形とされたカム部が係合している第１の端子と、
同じく複数の端子のうちの一部であってその上腕の上側縁に形成した上方開放切欠部に加圧部材に設けたピン部が遊合している第２の端子とが組み合わされて配置され、
加圧部材の前期第１の位置と第２の位置の間における姿勢変化に伴う、前記上腕の下側縁と係合した断面略長方形のカム部の向きの変化に従って、前記ピン部が前記上方開放切欠部内で移動するようにしたことを特徴とするＦＰＣ用コネクタである。
【００１２】
【作用】
このように構成されたこの発明のＦＰＣ用コネクタは、加圧部材とハウジングや端子の間に、回転軸と軸受部を設けない構成であるので、この点での製造管理の困難性を解消することができる。
ＦＰＣの接続に際し、加圧部材を第１の位置から第２の位置に姿勢変化させる時、加圧部材に設けた断面を略長方形としたカム部は、その長辺側の面が第１の端子の上腕の下側縁に係合した状態から、この長辺側の面に角部を挟んで隣り合う短辺側の面が係合する状態へと転がるように変位して、長辺および短辺の向きを変化させ、ＦＰＣの接点と端子のコンタクト部の間に必要な接圧が得られるようにする。端子の上腕の下側縁と係合するカム部が、このように一つの面から角部を挟んで隣り合う面へと係合する面を変化させることで、係合面が変化する際に操作者にクリック感を与え、また、加圧部材の意に反する姿勢変化を防止する。上記のようにカム部の向きが変化する時、加圧部材に設けたピン部は、奇数極の端子の上腕の上方開放切欠部の中で、比較的自由にその位置を移動させ得るが、上腕の先端方向である前方への移動は、上方開放切欠部を画成している前縁で制限される。即ち、上方開放切欠部の前縁がピン部の前方移動の限界を構成して、加圧部材が脱落するのを防止する。即ちこの様に構成したことにより、加圧部材は第１の端子と当接するカムの回転により上下及び左右方向の比較的大きな変位を伴うが、第２の端子によりその変位は適切な範囲内に保たれ、良好な加圧部材の開閉が保証され信頼性の高いＦＰＣ用コネクタとすることができる。
【００１３】
【発明の実施の形態】
以下、この発明の実施形態を添付の図を参照して説明する。
【００１４】
図１は、図２および図３〜図５に示したような外観をした実施形態のＦＰＣ用コネクタ１０の断面図を表している。このＦＰＣ用コネクタ１０は、絶縁性のプラスチックを成形したハウジング２０および加圧部材４０と、薄金属板を打ち抜いた２種類の端子６０Ａ、６０Ｂとを備えている。図１は、２種類の端子６０Ａ、６０Ｂのそれぞれに沿って示した断面図であり、ＦＰＣ８０が接続された状態で示されている。
【００１５】
ハウジング２０は、図１に表れているように、上側壁２１と下側壁２２を有し、これらの間にＦＰＣ受入空洞２３を画成している。ＦＰＣ受入空洞２３は、図１において左側である前端に形成された開口部２４と連通し、この前端を挿入端２５としてＦＰＣ８０をＦＰＣ受入空洞２３に挿入できるようにしている。また、この挿入端２５側の上部にもＦＰＣ受入空洞２３に連通する開口部２６が形成されるように、前記上側壁２１は下側壁２２に比べて短くされている。この開口部２６は、加圧部材４０と端子６０Ａ、６０Ｂとを係合させる目的で形成されている。
【００１６】
ハウジング２０に２種類の端子６０Ａ、６０Ｂがハウジング２０の長手方向（図３の左右方向）に所定のピッチの横並びで交互に装着されている。図示した実施形態では、第１の端子たる６０Ａが、図３で左側から数えて偶数番目の極（偶数極）となり、第２の端子たる６０Ｂが奇数番目の極（奇数極）となるようにしている。
【００１７】
図１を参照して各端子６０Ａ、６０Ｂの形状を説明すると、偶数極の端子６０Ａは、ハウジング２０の後端２７側から装着できるように形成され、ハウジング２０の上側壁２１と下側壁２２の間に配置される基板部６１の上部に、上側壁２１の下側に沿って延びる上腕６２が設けられている。この上腕６２は、上側壁２１の前縁を越えて前記開口部２６の近くまで突出する長さを有している。そして、上腕６２の基部下縁からクランク形状のスプリングビーム６３が垂下し、このスプリングビーム６３から長いコンタクト片６４と短いコンタクト片６５で二股状としたコンタクトが延び、端子６０Ａをハウジング２０に装着した時、各コンタクト片６４、６５が前記ＦＰＣ受入空洞２３に臨むようにしてある。基板部６１の後縁下部からは半田テイル６６が斜め下方に延びている。
【００１８】
奇数極の端子６０Ｂは、ハウジング２０の挿入端２５側から装着できるように形成されている。ハウジング２０の下側壁２２に沿って延びる下腕６７と、ハウジング２０の上側壁２１に沿って延びる上腕６８が連結ビーム６９で連結されて略横Ｕ字状に形成されている。下腕６７がハウジング２０の前後方向の幅に比べて長いのに対して、上腕６８は先端部が上側壁２１の前縁を越えて開口部２６の近くに突出する長さとされている。上腕６８の基部下縁から、偶数極の端子６０Ａと同様に、スプリングビーム７０が垂下し、そして、スプリングビーム７０から長いコンタクト片７１と短いコンタクト片７２を備えたコンタクトが延びている。このコンタクトもハウジング２０のＦＰＣ受入空洞２３に臨むようにしてある。前記下腕６７の前端下縁には半田テイル７３が設けられている。
【００１９】
偶数極の端子６０Ａのコンタクトと、奇数極の端子６０Ｂのコンタクトは、互いに同じレベルで交互に並んでＦＰＣ受入空洞２３に臨むようになっている。長いコンタクト片６４、７１の先端上縁にはコンタクト部６４ａ、７１ａがそれぞれ突出形成してあり、ＦＰＣ８０の下面に設けられる接点（図示せず）と対向できるようにしてある。また、短いコンタクト片６５、７２の先端下縁にも、コンタクト部６５ａ、７２ａが突出形成してあり、ＦＰＣ８０の上面に設けられる接点（図示せず）と対向できるようにしてある。長いコンタクト片６４、７１に形成したコンタクト部６４ａ、７１ａは、ＦＰＣ受入空洞２３内で千鳥状に配置されるようにしてある。短いコンタクト片６５、７２に形成したコンタクト部６５ａ、７２ａも同様で、千鳥状に配置されるようにしてある。
【００２０】
加圧部材４０は、ハウジング２０の上側壁２１を略覆う大きさの方形板状の本体部４１の前縁から係合部４２が下方に向って弧状に連続していると共に、本体部４１の両側に側板部４３が垂下している。本体部４１、係合部４２、側板部４３は一体となっている。係合部４２がハウジング２０の上側壁２１の前方に形成した開口部２６を通してＦＰＣ受入空洞２３の中に突入して、端子６０Ａ、６０Ｂの各上腕６２、６８と係合させてある。この係合の為に、偶数極の端子６０Ａの上腕６２に対応させて窓孔４４が貫通して形成され、窓孔４４を通して上腕６２が前方に延びるようにしてある。また、奇数極の端子６０Ｂの上腕６８に対応させて収容溝４５が形成され、収容溝４５の中に上腕６８が延びるようにしてある。
【００２１】
偶数極の端子６０Ａと加圧部材４０の係合は、端子６０Ａの上腕６２の下側縁と、加圧部材４０の係合部４２に形成した窓孔４４の下側に隣接させて設けた断面を略長方形としたカム部４６で形成されている。即ち、カム部４６の短辺の面４６ａや長辺の面４６ｂ或は角部４６ｃが上腕６２の先端部下側縁に係合するようにしている。奇数極の端子６０Ｂと加圧部材４０の係合は、端子６０Ｂの上腕６８の先端部に形成した上方開放切欠部７４と、加圧部材４０の係合部４２に形成した収容溝４５に横設したピン部４７で形成されている。ピン部４７を上方開放切欠部７４の中に収容して係合させてある。上方開放切欠部７４の前後方向の幅はピン部４７の径に比べて大きくされて、ピン部４７と上方開放切欠部７４は遊合状態で係合しており、ピン部４７は上方開放切欠部７４の中で、前後方向および上下方向で移動が可能となっている。加圧部材４０の操作によってカム部４６の短辺の面４６ａおよび長辺の面４６ｂの方向が変化する時、ピン部４７の位置が前後および上下の方向で移動するのに対応させたものである。
【００２２】
更に、加圧部材４０のカム部４６と係合している偶数極の端子６０Ａの上腕６２の下側縁には肩部６２ａが形成されており、カム部４６の長辺の面４６ｂは、肩部６２ａを有する下側縁の形状に対応させて、段部４８が形成されている。また、奇数極の端子６０Ｂの上腕６８に形成した上方開放切欠部７４は、ピン部４７の前記した如くの移動に対応するように、前縁７４ａ、円弧下縁７４ｂ、傾斜下縁７４ｃ、後縁７４ｄで画成され（図１１参照）、ピン部４７が各縁に沿ってまたは各縁から離れて移動するようにしてある。
【００２３】
加圧部材４０の係合部４２と端子６０Ａ、６０Ｂの上腕６２、６８をこのように係合させることで、加圧部材４０は、図６に示した位置、即ち、挿入端２５の開口部２４を通してＦＰＣ８０をＦＰＣ受入空洞２３に挿入可能とする第１の位置と、図１に示した位置、即ち、ＦＰＣ受入空洞２３に挿入されたＦＰＣ８０の接点と端子６０Ａ、６０Ｂのコンタクト片６４、６５、７１、７２に設けられたコンタクト部６４ａ、６５ａ、７１ａ、７２ａを所定の接圧で加圧係合させる第２の位置の間で姿勢変化することが可能となっている。以下、この加圧部材４０の姿勢変化に伴うカム部４６、ピン部４７の動作と加圧係合の様子について図１、６と、姿勢変化の途中を表している図７〜１０を参照して説明する。
【００２４】
加圧部材４０の姿勢を図６の第１の位置にすると、カム部４６はその長辺の面４６ｂが偶数極の端子６０Ａの上腕６２の下縁に係合するように変位して、コンタクト片６４、６５の間を開放する。奇数極の端子６０Ｂの上腕６８に形成した上方開放切欠部７４に遊合させた加圧部材４０のピン部４７は、この時、傾斜下縁７４ｃと係合する位置を取るようになっている。
【００２５】
加圧部材４０の姿勢をこのように第１の位置にすると、ＦＰＣ受入空洞２３へＦＰＣ８０を挿入抵抗の無いゼロ挿入力で挿入することができる。ＦＰＣ８０をＦＰＣ受入空洞２３に臨んでいる端子６０Ａのコンタクト片６４、６５の間および端子６０Ｂのコンタクト片７１、７２の間に挿入し、上下面の接点とコンタクト部６４ａ、６５ａ、７１ａ、７２ａを１対１の関係で対向させることができる。各端子６０Ａ、６０Ｂの短いコンタクト片６５、７２のコンタクト部６５ａ、７２ａと接点の対向部は、ＦＰＣ受入空洞２３で各端子６０Ａ、６０Ｂの間に設けられている隔壁２８の上縁でバックアップされる。
【００２６】
ＦＰＣ８０を挿入した後、加圧部材４０を図１の第２の位置まで姿勢変化させると、その過程において、図７、８、９、１０のような姿勢に順次変化して最後に図１の第２の位置の姿勢に変化する。これに伴って、加圧部材４０のカム部４６も各図に表れているように、その短辺の面４６ａと長辺の面４６ｂの向きを順次変化させていく。そして、加圧部材４０のピン部４７も上方開放切欠部７４内で図のように移動していく。
【００２７】
カム部４６のこのような向きの変化は、図７〜図１０に表れているように端子６０Ａの上腕６２の下縁に角部４６ｃを係合させて、この係合部を起点として進行する。したがって、ピン部４７はその位置を移動させることになる。即ち、図７に表れているように、ピン部４７は上方開放切欠部７４の傾斜下縁７４ｃを下るように前方へ移動して円弧下縁７４ｂと係合するように変位する。ピン部４７が円弧下縁７４ｂと係合する位置まで移動すると、ピン部４７は前縁７４ａとも係合することとなり、それ以上前方への移動は停止される。前縁７４ａがピン部４７の前方への移動の限界を構成する。また、この前縁７４ａとピン部４７の係合によって、加圧部材４０が姿勢変化の際に端子６０Ａ、６０Ｂとの係合が外れて脱落するのを防止する。
【００２８】
ピン部４７が上方開放切欠部７４の前縁７４ａと係合して前方への移動が停止した後は、カム部４６の角部４６ｃと上腕６２の下側縁の係合部を後方に移動させながらカム部４６の向きの変化が進行する（図８〜１０）。上腕６２の下側縁に形成した肩部６２ａは、この係合部の後方移動の限界を構成し、また、加圧部材４０の姿勢変化の際の後方移動の限界も構成している。もっとも、ピン部４７が上方開放切欠部７４の前縁７４ａと係合して前方への移動が制限されているので、肩部６２ａの位置は、カム部４６の角部４６ｃと上腕６２の下側縁との係合部の移動範囲を確保できる位置とされていることは言うまでもない。
【００２９】
このようなカム部４６がその短辺と長辺の向きを変化させ、また、ピン部４７が上方開放切欠部７４内で移動する過程で、加圧部材４０の係合部４２の端面は、ハウジング２０のＦＰＣ受入空洞２３内において、ＦＰＣ８０の上面と当接して、加圧面４９として働く。カム部４６と端子６０Ａの上腕６２の下側縁とが係合しているので、加圧面４９はＦＰＣ８０を端子６０Ａ、６０Ｂの長いコンタクト片６４、７１へと押圧付勢して、各コンタクト片６４、７１を下方に弾性変形させて、コンタクト部６４ａ、７１ａとＦＰＣ８０の接点を適度の接圧で加圧係合させる。長いコンタクト片６４、７１が下方に弾性変形を受けると、それぞれ一体の短いコンタクト片６５、７２も下方へ追従させるので、隔壁２８でバックアップされているＦＰＣ８０の接点とコンタクト部６５ａ、７２ａも適度の接圧で加圧係合させることができる。
【００３０】
加圧部材４０の加圧面４９がＦＰＣ８０を介して長いコンタクト片６４、７１を弾性変形させ、また、短いコンタクト片６５、７２も間接的に弾性変形させると、その反力が加圧部材４０に作用することになる。この反力は、カム部４６が図９のように、角部４６ｃとこれに対向する角部を結ぶ対角線が垂直方向に向いた時に最大となる。この最大の反力はカム部４６のもう一対の角部に表れるモーメントｆ１、ｆ２（図１２）も最大とする。したがって、加圧部材４０が図９の段階まで姿勢変化した後は、一気に図１の第２の位置まで姿勢変化し、しかも、第２の位置まで姿勢変化をすると、カム部４６の短辺の面４６ａが上腕６２の下側縁に係合して、それ以上の姿勢変化を急激に停止させるので、加圧部材４０を操作する操作者には、確かなクリック感を与えてＦＰＣ８０の接続の完成を認識させることができる。
【００３１】
加圧部材４０が第２の位置まで姿勢を変化させ、カム部４６の短辺の面４６ａが上腕６２の下側縁と係合する時には、ピン部４７は上方開放切欠部７４内で、前縁７４ａに沿って上方へ僅かに移動し、円弧下縁７４ｂからは離れるようになる（図１）。
【００３２】
このようにしてＦＰＣ８０が接続された後は、カム部４６の短辺の面４６ａと上腕６２の下側縁が係合している状態から、角部４６ｃが上腕６２の下側縁と係合する状態へ変化させるには、端子６０Ａ、６０Ｂ側からの反力が作用している条件で、比較的大きな力を必要とする。したがって、ＦＰＣ８０の引き回し等によって加圧部材４０が意に反して第１の位置に向って姿勢変化するのを確実に防止することができる。接続状態がこのように確実に維持されるので、接続の信頼性を向上することができる。接続を解除する場合は、加圧部材４０に端子６０Ａ、６０Ｂからの反力に打ち勝つ力を与えて、第１の位置へ向かって姿勢変化させることになる。この時、カム部４６とピン部４７は前記と逆の経過をたどって、向きを変化させ、また、移動をする。
【００３３】
図１３は、他の実施形態のカム部４６の断面を表している。このように、カム部４６の上腕６２の下側縁と係合することになる長辺の面４６ｂは、平坦面５０とテーパー面５１で構成して、肩部６２ａを形成した上腕６２の下側縁の形状に対応させることもできる。
【００３４】
尚、先の実施形態において、ハウジング２０の両側には金属製のネイル１００が装着してある。このネイル１００は、図１４、１５に示すように、ハウジング２０と係合する装着片１０１と、ハウジング２０の外側に延びる係合片１０２が連結底片１０３で連続している。前記加圧部材４０の側板部４３は、ハウジング２０とこのネイル１００の係合片１０２の間隙に挟まれるように配置されている。
【００３５】
ネイル１００の係合片１０２には、突条１０４が内側に突出するようにして長手方向で設けてある。一方、加圧部材４０の側板部４３の外面には、図１６に示したように、突条１０４を収容できる凹入溝５２と、突条１０４と係合する段部５３が設けてある。加圧部材４０を第２の位置にすると、突条１０４と段部５３が係合して、ここでも加圧部材４０の第１の位置に向かう意に反する姿勢変化が起こらないようにしている。
【００３６】
図１７には更に別の実施形態のＦＰＣ用コネクタ２００が示されている。この実施形態のＦＰＣ用コネクタ２００は、偶数極の端子２６０Ａおよび奇数極の端子２６０Ｂの形状が先の実施形態と異なっており、他の部分は先の実施形態と同様に構成されている。したがって、先の実施形態と同一の部材には同一の符号を付して詳細な説明は省略する。
【００３７】
先の実施形態の端子６０Ａ、６０Ｂは、長いコンタクト片６４、７１のコンタクト部６４ａ、７１ａおよび短いコンタクト片６５、７２のコンタクト部６５ａ、７２ａがＦＰＣ受入空洞２３において千鳥状に配置される構成であった。これに対して、図１７に示した実施形態では、コンタクト部が千鳥配置ではなく一直線に並ぶようにしている。即ち、偶数極の端子２６０Ａのコンタクトを構成している長いコンタクト片２６４の先端上縁に形成したコンタクト部２６４ａと奇数極の端子２６０Ｂのコンタクトを構成している長いコンタクト片２７１の先端上縁に形成したコンタクト部２７１ａがＦＰＣ受入空洞２３内で、図の紙面に垂直の方向で一直線に並ぶように構成されている。短いコンタクト片２６５、２７２も同様で、偶数極の端子２６０Ａの短いコンタクト片２６５の先端下縁に形成したコンタクト部２６５ａと、奇数極の端子２６０Ｂの短いコンタクト片２７２の先端下縁に形成したコンタクト部２７２ａが、ＦＰＣ受入空洞２３内で、図の紙面に垂直の方向で一直線に並ぶように構成されている。
【００３８】
先の実施形態のＦＰＣ用コネクタ１０に接続するＦＰＣ８０では、その接点を上面および下面でそれぞれ千鳥配置の形態とするのに対し、この図１７の実施形態のＦＰＣ用コネクタ２００に接続するＦＰＣでは、その接点を上面および下面でそれぞれ一直線に配置することになる。
【００３９】
また、奇数極の端子２６０Ｂは、ハウジング２０の後端２７側から装着できるように形成されている。したがって、下腕を有することなく、基板部２６９の上部前縁から上腕２６８が延び、また、半田テイル２７３は基板部２６９の後縁下部から斜め下方に延びている。偶数極の端子２６０Ａの半田テイル２６６と奇数極の端子２６０Ｂの半田テイル２７３も一直線に並列するようにしている。
【００４０】
各端子２６０Ａ、２６０Ｂの上腕２６２、２６８と加圧部材４０の係合構造は先の実施形態と同一である。したがって、加圧部材４０の姿勢変化におけるカム部４５およびピン部４７の動作は前記と同様であり、この実施形態においても接続の完了を確かなクリック感で認識させることができ、また、接続状態の意に反する解除を回避して信頼性を向上することができる。
【００４１】
【発明の効果】
以上に説明の通り、この発明のＦＰＣ用コネクタでは、加圧部材の断面を略長方形としたカム部と上腕の下側縁を係合させ、また、ピン部を上腕の上方開放切欠部に遊合させて前後および上下の方向で移動可能に構成して加圧部材の第１の位置と第２の位置の間の姿勢変化を可能とし、一定の位置に配置される回動軸と軸受部を備えていない構成としたので、製造上の管理を容易にし、しかも、確かなクリック感を与えて操作上の認識性を向上し、また、加圧部材の意に反する姿勢変化を困難にして接続の信頼性を向上できるなどの優れた効果がある。
【図面の簡単な説明】
【図１】加圧部材が第２の位置にある時のこの発明の実施形態の断面図で、（ａ）は偶数極の端子に沿って示した断面図、（ｂ）は奇数極の端子に沿って示した断面図である。
【図２】この発明の実施形態の斜視図である。
【図３】この発明の実施形態の平面図である。
【図４】この発明の実施形態の正面図である。
【図５】この発明の実施形態の側面図である。
【図６】加圧部材が第１の位置にある時のこの発明の実施形態の断面図で、（ａ）は偶数極の端子に沿って示した断面図、（ｂ）は奇数極の端子に沿って示した断面図である。
【図７】加圧部材が第１の位置から第２の位置へ姿勢変化する時の中間段階の断面図で、（ａ）は偶数極の端子に沿って示した断面図、（ｂ）は奇数極の端子に沿って示した断面図である。
【図８】図７から更に進んだ中間段階の断面図で、（ａ）は偶数極の端子に沿って示した断面図、（ｂ）は奇数極の端子に沿って示した断面図である。
【図９】図８から更に進んだ中間段階の断面図で、（ａ）は偶数極の端子に沿って示した断面図、（ｂ）は奇数極の端子に沿って示した断面図である。
【図１０】図９から更に進んだ中間段階の断面図で、（ａ）は偶数極の端子に沿って示した断面図、（ｂ）は奇数極の端子に沿って示した断面図である。
【図１１】奇数極の端子の上腕に形成した上方開放切欠部の拡大図である。
【図１２】カム部に働くモーメントを説明する図である。
【図１３】この発明の他の実施形態のカム部の断面図である。
【図１４】この発明の実施形態のネイルの正面図である。
【図１５】同じくネイルの底面図である。
【図１６】この発明の実施形態の加圧部材の側面図である。
【図１７】この発明の別の実施形態の断面図で、（ａ）は偶数極の端子に沿って示した断面図、（ｂ）は奇数極の端子に沿って示した断面図である。
【図１８】従来のＦＰＣ用コネクタの上方斜視図である。
【図１９】従来のＦＰＣ用コネクタの下方斜視図である。
【図２０】従来のＦＰＣ用コネクタの断面図である。
【図２１】従来の別のＦＰＣ用コネクタの分解斜視図である。
【図２２】従来の別のＦＰＣ用コネクタの断面図である。
【図２３】従来の更に別のＦＰＣ用コネクタの分解斜視図である。
【図２４】従来の更に別のＦＰＣ用コネクタの断面図である。
【符号の説明】
１０、２００　ＦＰＣ用コネクタ
２０　　　　　ハウジング
２１　　　　　上側壁
２３　　　　　ＦＰＣ受入空洞
２４、２６　　開口部
４０　　　　　加圧部材
４２　　　　　係合部
４６　　　　　カム部
４６ａ　　　　カム部の短辺の面
４６ｂ　　　　カム部の長辺の面
４６ｃ　　　　カム部の角部
４７　　　　　ピン部
４９　　　　　加圧面
６０Ａ、２６０Ａ　　第１（偶数極）の端子
６０Ｂ、２６０Ｂ　　第２（奇数極）の端子
６２、２６２　　　　上腕
６４、２６４　　　　コンタクト片
６４ａ、２６４ａ　　コンタクト部
６５、２６５　　　　コンタクト片
６５ａ、２６５ａ　　コンタクト部
６８、２６８　　　　上腕
７１、２７１　　　　コンタクト片
７１ａ、２７１ａ　　コンタクト部
７２、２７２　　　　コンタクト片
７２ａ、２７２ａ　　コンタクト部
７４　　　　　上方開放切欠部
７４ａ　　　　前縁
７４ｂ　　　　円弧下縁
７４ｃ　　　　傾斜下縁
７４ｄ　　　　後縁
８０　　　　　ＦＰＣ